(57)【要約】【課題】出射光量の調節が可能であってコンパクトな光源装置を提供する。【解決手段】ランプ光源と、ランプ光源からの光束を減光して、出射する光量を調整する光量調整手段と、を備え、光量調整手段が、複数の第１の通光孔が形成され、光束の光路上に配置された円形の第１のプレートと、複数の第２の通光孔が形成され、光束の光路上に第１のプレートと平行に配置された、回転可能な円形の第２のプレートと、第２のプレートを回転させる駆動部と、を備え、記駆動部により第２のプレートを回転することにより、第１および第２の通光孔を通過して出射する光量が漸次変化するように構成される。【選択図】図６
2014039691.tif 000002
【特許請求の範囲】
【請求項１】
ランプ光源と、
前記ランプ光源からの光束を減光して、出射する光量を調整する光量調整手段と、
を備え、
前記光量調整手段が、
複数の第１の通光孔が形成され、前記光束の光路上に配置された円形の第１のプレートと、
複数の第２の通光孔が形成され、前記光束の光路上に前記第１のプレートと平行に配置された、回転可能な円形の第２のプレートと、
前記第２のプレートを回転させる駆動部と、
を備え、
前記駆動部により前記第２のプレートを回転させることにより、前記第１および前記第２の通光孔を通過して出射する光量が漸次変化するように構成されることを特徴とする光源装置。
【請求項２】
前記第２のプレートは、前記複数の第２の通光孔が形成されるプレート部と、該プレート部の周囲を覆うギヤ部とからなり、
前記駆動部は、前記ギヤ部とかみ合って前記第２のプレートを回転させる駆動ギヤを備えることを特徴とする請求項１に記載の光源装置。
【請求項３】
前記複数の第１の通光孔および前記複数の第２の通光孔は、前記第１および前記第２のプレート上にそれぞれ同じ配列パターンで形成されていることを特徴とする請求項１または請求項２に記載の光源装置。
【請求項４】
前記第１の通光孔と前記第２の通光孔が、それぞれ同一の形状および大きさを有していることを特徴とする請求項１から請求項３のいずれか一項に記載の光源装置。
【請求項５】
前記プレート部は、前記第１のプレートと同一の部品によって構成されることを特徴とする請求項２に記載の光源装置。
【請求項６】
前記駆動部は、前記ランプ光源の累積点灯時間に基づいて、前記第２のプレートを回転させることを特徴とする請求項１から請求項５のいずれか一項に記載の光源装置。
【請求項７】
前記駆動部は、
前記ランプ光源の累積照明時間を計時する累積照明時間計時手段と、
前記累積照明時間と前記ランプ光量との関係を表すランプ光量低減曲線テーブルが記録されたランプ光量低減曲線テーブル記憶手段と、を備え、
前記累積照明時間計時手段が計時した累積照明時間および前記ランプ光量低減曲線テーブルから前記ランプ光量を取得し、該ランプ光量に基づいて、前記第２のプレートを回転させることを特徴とする請求項１から請求項６のいずれか一項に記載の光源装置。
【請求項８】
前記駆動部は、前記第２のプレートの回転位置と前記光量調整手段を透過する前記光束の透過率との関係を表す透過率曲線テーブルが記録された透過率曲線テーブル記憶手段をさらに備え、
前記透過率が前記ランプ光量と所定の光量との差分となるよう前記第２のプレートを回転させることを特徴とする請求項１から請求項７のいずれか一項に記載の光源装置。
【請求項９】
前記駆動部が、
前記ランプ光源の累積照明時間を計時する累積照明時間計時手段と、
前記累積照明時間と前記第２のプレートの好適な回転位置との関係を表す位置曲線テーブルが記録された位置曲線テーブル記憶手段と、を備え、
前記累積照明時間計時手段が計時した累積照明時間に基づいて前記位置曲線テーブルから前記好適回転位置を取得して、該好適回転位置へ前記第２のプレートを回転させることを特徴とする請求項１から請求項６のいずれか一項に記載の光源装置。
【請求項１０】
請求項１から請求項９のいずれか一項に記載の光源装置と、
前記光源装置からの照射光によって照射された被写体からの反射光を受光する固体撮像素子と、
前記固体撮像素子が出力する撮像信号を処理してモニタ表示可能な画像信号を生成する画像処理手段と、
を備えた電子内視鏡システム。
【発明の詳細な説明】
【技術分野】
【０００１】
本発明は、出射する光量の調節が可能な光源装置および該光源装置を備えた電子内視鏡システムに関する。
【背景技術】
【０００２】
光源装置は、所定範囲の光量を長期間安定的に供給することが要求される。しかしながら、光源装置に使用されるハロゲンランプやキセノンランプ等のランプは、使用時間と共に発光量が減少する性質を一般に有している。特許文献１には、透過率可変の減光板を設けて、ランプの発光量の低下に応じて減光板の透過率を上げることで、ランプ交換無しで一定の出射光量を長期間維持可能にした光源装置が記載されている。
【０００３】
特許文献１の光源装置に使用される減光板は、透過率の異なる多数の網目領域が円周方向に配列された円盤形状の部材であり、減光板を回転させてランプ光束が通過する網目領域を切り換えることで、減光板の透過率を段階的に変更できるように構成されている。網目領域は、それぞれ網目の異なる金属等の網から形成されている。
【先行技術文献】
【特許文献】
【０００４】
【特許文献１】特開２００７−２８９５８１号公報
【発明の概要】
【発明が解決しようとする課題】
【０００５】
上述のように、特許文献１の減光板は、ランプ光束の断面よりも広い網が、透過率の可変段数と同じ数だけ面内に並べて取り付けられたものである。その為、特許文献１の減光板は、外径が大きく、広い設置空間を必要とし、光源装置の小型化を難しくしていた。さらに、透過率の異なる多数の網を繋げて減光板を形成するため、部品点数や加工工数の増加を招くという問題点もあった。
【０００６】
本発明は上記の事情に鑑みてなされたものであり、その目的とするところは、出射光量の調節が可能な光源装置および該光源装置を備えた電子内視鏡システムにおいて、省スペース化を実現することである。
【課題を解決するための手段】
【０００７】
本発明の実施形態によれば、ランプ光源と、ランプ光源からの光束を減光して、出射する光量を調整する光量調整手段と、を備え、該光量調整手段が、複数の第１の通光孔が形成され、光束の光路上に配置された円形の第１のプレートと、複数の第２の通光孔が形成され、光束の光路上に第１のプレートと平行に配置された、回転可能な円形の第２のプレートと、該第２のプレートを回転させる駆動部とを備える、光源装置が提供される。また、本発明の光源装置は、駆動部が第２のプレートを回転させることにより、第１および第２の通光孔を通過して出射する光量が漸次変化するように構成されることを特徴とする。
【０００８】
この構成によれば、第２のプレートを回転させて、第１および第２のプレートにそれぞれ設けられた第１の通光孔と第２の通光孔の重なり具合を変えることによって、出射する光量を無段階に調整することができる。また、照射光の光束と同じ円形のプレートを用い、該光量の調整を円形プレートの回転により実現することで、設置スペースを小さくすることができる。
【０００９】
また、本発明の光源装置における第２のプレートは、複数の第２の通光孔が形成されるプレート部と、該プレート部の周囲を覆うギヤ部とからなり、駆動部は、ギヤ部とかみ合って第２のプレートを回転させる駆動ギヤを備える構成であっても良い。さらに、複数の第１の通光孔および複数の第２の通光孔は、それぞれ同一の形状および大きさを有し、第１および第２のプレート上にそれぞれ同じ配列パターンで形成されてもよく、プレート部は、第１のプレートと同一の部品によって構成されても良い。
【００１０】
この構成によれば、全ての第１の通光孔と第２の通光孔の重なり具合が一様になり、透過率の最大値を大きくすることができる。また、各通光孔が均一に配置された場合は、この構成により、光量調整手段を透過する光量の分布を均一にすることができる。また、同じ部品を用いることで、部品点数の削減や加工工数の削減が可能となり、製造コストを低減することができる。
【００１１】
また、本発明の光源装置における駆動部は、ランプ光源の累積点灯時間に基づいて、第２のプレートを回転させるものであっても良い。より詳しくは、駆動部は、ランプ光源の累積照明時間を計時する累積照明時間計時手段と、累積照明時間とランプ光量との関係を表すランプ光量低減曲線テーブルが記録されたランプ光量低減曲線テーブル記憶手段と、を備え、累積照明時間計時手段が計時した累積照明時間およびランプ光量低減曲線テーブルからランプ光量を取得し、該ランプ光量に基づいて、第２のプレートを回転させてもよい。または、駆動部は、第２のプレートの回転位置と光量調整手段を透過する光束の透過率との関係を表す透過率曲線テーブルが記録された透過率曲線テーブル記憶手段をさらに備え、透過率がランプ光量と所定の光量との差分となるよう第２のプレートを回転させても良い。
【００１２】
さらに、駆動部が、ランプ光源の累積照明時間を計時する累積照明時間計時手段と、累積照明時間と第２のプレートの好適な回転位置との関係を表す位置曲線テーブルが記録された位置曲線テーブル記憶手段と、を備え、累積照明時間計時手段が計時した累積照明時間に基づいて位置曲線テーブルから好適回転位置を取得して、該好適回転位置へ第２のプレートを回転させても良い。
【００１３】
これらの構成によれば、ランプ光源の累積照明時間に応じた光量の自動調整が可能になり、光量調整手段の透過率をランプ光量に適した値に自動調整することができる。また、ランプ光量低減曲線テーブルと透過率曲線テーブルとを分けて設ける構成により、ランプ光源や光量調整手段の仕様を変更しても、使用するランプ光量低減曲線テーブル又は透過率曲線テーブルを個別に変更するだけで好適な光量調整が可能になる。
【００１４】
さらに、本発明により、上記いずれかの光源装置と、光源装置からの照射光によって照射された被写体からの反射光を受光する固体撮像素子と、固体撮像素子が出力する撮像信号を処理してモニタ表示可能な画像信号を生成する画像処理手段と、を備えた電子内視鏡システムが提供される。
【発明の効果】
【００１５】
本発明の実施形態の構成によれば、出射光量の調節が可能であるとともに、省スペース化を実現することが可能な光源装置および該光源装置を備えた電子内視鏡システムが提供される。
【図面の簡単な説明】
【００１６】
【図１】本発明の実施形態に係る電子内視鏡システム１の概略構成を示すブロック図である。
【図２】本発明の実施形態に係る光量調整装置１５０の側面図である。
【図３】本発明の実施形態に係る光量調整装置１５０における固定プレート１５２の斜視図である。
【図４】本発明の実施形態に係る光量調整装置１５０における可動プレート１５４の斜視図である。
【図５】図４の可動プレート１５４の分解図である。
【図６】本発明の実施形態に係る光量調整装置１５０の動作を説明する図である。
【図７】光源装置１００におけるランプ１２１の光量低減曲線の概念図である。
【図８】本発明の実施形態に係る光量調整装置１５０の透過率曲線の概念図である。
【発明を実施するための形態】
【００１７】
以下、本発明の実施の形態について図面を用いて詳細に説明する。
【００１８】
図１は、本発明の実施形態に係る光源装置１００を使用した電子内視鏡システム１の概略構成を示すブロック図である。電子内視鏡システム１は、医療用の電子内視鏡システムであり、光源装置１００の他に電子内視鏡２００と電子内視鏡用プロセッサ３００を備えている。図１の電子内視鏡システム１では、光源装置１００と電子内視鏡用プロセッサ３００とが別体で構成されているが、これらを一体に備えた装置としてもよい。
【００１９】
電子内視鏡２００は、光源装置１００から供給された照明光を患者の体腔内に挿入する内視鏡先端部まで伝送するＬＣＢ（Light Carrying Bundle）２１０を備えている。光源装置１００から供給された照明光は、光源装置１００に差し込まれたＬＣＢ２１０の入射端に入射し、ＬＣＢ２１０内を伝搬した後、出射端から出射して、配光レンズ２２０を介して被写体に照射される。被写体からの反射光は、対物レンズ２４０を介して固体撮像素子２３０の受光面上で光学像を結ぶ。また、電子内視鏡２００は、固体撮像素子２３０の駆動制御および固体撮像素子２３０が生成する撮像信号に対する前処理を行うドライバ信号処理回路２５０を備えている。ドライバ信号処理回路２５０は、固体撮像素子２３０を駆動して受光面上に結像した光学像に応じた撮像信号を生成させて、この撮像信号を読み出してデジタル画像信号に変換した後、電子内視鏡用プロセッサ３００に送信する。電子内視鏡用プロセッサ３００は、デジタル画像信号に対して各種の画像処理を行った後、ビデオ信号に変換して、モニタ４００へ出力する。モニタ４００は、入力されたビデオ信号に基づいて内視鏡画像を画面表示する。これにより、術者は、モニタ４００に表示される内視鏡画像を確認しながら体腔内の観察や治療を行うことができる。
【００２０】
次に、本発明の実施形態に係る光源装置１００の構成を説明する。光源装置１００は、光源装置１００の各部を制御するコントローラ１１０、メモリ１１２、光源装置１００の動作状態を表示すると共にユーザ操作を受け付ける表示・操作部１１１、白色光束Ｌを出射するランプ１２１、ランプ１２１に駆動電力を供給するイグナイタ１２２、および白色光束Ｌを集光してＬＣＢ２１０内に導光する集光レンズ１３０を備えている。更に、光源装置１００は、ランプ１２１と集光レンズ１３０の間に配置された、ＬＣＢ２１０内に導光する照明光の光量を調節する光量調整装置１５０を備えている。光量調整装置１５０は、光量調節機構部１５０ａ、光量調節機構部１５０ａを駆動する駆動部１５０ｂ、および駆動部１５０ｂに駆動電力を供給するドライバ１５０ｃを備えている。イグナイタ１２２およびドライバ１５０ｃは、コントローラ１１０からの制御信号に基づいて、ランプ１２１の点灯および光量調整装置１５０の作動をそれぞれ制御する。なお、本実施形態ではランプ１２１にキセノンランプが使用されているが、他の種類のランプ（例えば、水銀ランプ、メタルハライドランプその他の放電ランプや、ハロゲン電球その他の白熱電球）を使用することもできる。また、コントローラ１１０は、インターフェース１７０を介して電子内視鏡プロセッサ３００と通信可能に接続されている。メモリ１１２には、後述するランプ１２１の光量低減曲線テーブル１１２ａ、光量調整装置１５０の透過率曲線テーブル１１２ｂ、ランプの累積点灯時間Ｃ、設定光量ＱＳ、最低光量Ｑｍｉｎ等が記録されている。なお、最低光量Ｑｍｉｎは、十分な露光を確保する為に必要なランプ光量Ｑの下限値であり、後述のようにランプ交換を促す警報の閾値として使用される。コントローラ１１０は、ランプ１２１の点灯時間を計時して、所定時間（例えば１時間）毎にメモリ１１２に記録された累積点灯時間Ｃを更新する。また、設定光量ＱＳの値は、表示・操作部１１１に対するユーザ操作や電子内視鏡用プロセッサ３００の制御によって書き換え可能になっている。
【００２１】
次に、光量調整装置１５０の構成について説明する。図２は光量調整装置１５０の側面図である。光量調整装置１５０の光量調節機構部１５０ａは、固定プレート１５２および可動プレート１５４を備えている。図２の矢印Ａは、ランプ１２１からの白色光束Ｌが光量調節機構部１５０ａに入射する方向を示す。すなわち、ランプ１２１が出射した白色光束Ｌは、固定プレート１５２側から光量調整装置１５０に略垂直に入射する。図３および図４は、それぞれ固定プレート１５２および可動プレート１５４の斜視図であり、図５は可動プレート１５４の分解図である。
【００２２】
図３に示すように、固定プレート１５２は、パンチングプレスにより多数の通光孔１５２ａが所定の配置で形成された円形の金属板である。本実施形態においては、通光孔１５２ａは、円形の孔形状に形成されている。また、固定プレート１５２には、該固定プレート１５２を光路上に固定する際に用いられる取付け穴１５２ｃが設けられている。固定プレート１５２は、取付け穴１５２ｃを介して、光源装置１００のフレームに設けられた固定用板金（不図示）に、またはランプ１２１のランプカートリッジのヒートシンクに直接、ネジ止め等により固定される。また、固定プレート１５２の中心には、可動プレート１５４を支持する回転軸１５３ａを固定するための軸孔１５２ｂが設けられている。
【００２３】
図４および図５に示すように、可動プレート１５４は、プレート１５４１およびギヤ１５４２から構成される。本実施形態においては、プレート１５４１は、固定プレート１５２と同一の大きさおよび形状を有する円形の金属板であり、固定プレート１５２に開けられた通光孔１５２ａと同じ孔形状、孔径、数、配列の通光孔１５４ａ、取付け孔１５４ｃ、および軸孔１５４ｂが形成されている。すなわち、プレート１５４１は、固定プレート１５２と同一の部品により構成される。また、ギヤ１５４２は、プレート１５４１の通光孔１５４ａを塞がないように中心に形成された開口１５４ｆ、プレート１５４１を支持するためのプレート支持部１５４ｄ、および周囲に形成されたギヤ部１５４ｇからなる。プレート支持部１５４ｄには、プレート１５４１を取り付けるための取付け穴１５４ｅが設けられている。プレート１５４１は、ギヤ１５４２のプレート支持部１５４ｄに、取付け穴１５４ｃおよび１５４ｅを介して、リベット等により固定される。
【００２４】
図２に示すように、可動プレート１５４は、円筒形のスペーサ１５３を介して、固定プレート１５２と並行に配置され、固定プレート１５２の軸孔１５２ｂ、スペーサ１５３の貫通穴（不図示）および可動プレート１５４の軸孔１５４ｂを通る回転軸１５３ａによって、固定プレート１５２に対して回転可能に支持される。ここで、固定プレート１５２および可動プレート１５４は、プレート間における照明光の拡散を防ぐために、可能な限り近接して配置されることが望ましい。また、可動プレート１５４の摺動性を考慮し、樹脂により形成されたスペーサ１５３が用いられる。別の実施形態においては、スペーサ１５３および回転軸１５３ａは一つの部品として形成されても良い。
【００２５】
図２に示すように、可動プレート１５４の下方には、可動プレート１５４を回転させるための駆動部１５０ｂが配置されている。本実施形態の駆動部１５０ｂは、ステッピングモータ１５６と、ステッピングモータ１５６の駆動軸１５６ａに接続された駆動ギヤ１５５を備えている。駆動ギヤ１５５のギヤ面は可動プレート１５４のギヤ部１５４ｇとかみ合わされ、駆動ギヤ１５５の回転に伴って可動プレート１５４が回転軸１５３ａを中心に回転するようになっている。なお、ステッピングモータ１５６は、固定プレート１５２に対してランプ１２１の反対側に配置されている。その為、ランプ１２１の輻射のほとんどが固定プレート１５２によって遮蔽され、輻射熱によるステッピングモータ１５６の焼き付きが防止される。
【００２６】
次に、図６（ａ）〜（ｃ）を参照して、光量調整装置１５０の動作について説明する。可動プレート１５４は、その周囲に設けられたギヤ部１５４ｇに当接する駆動ギヤ１５５の回転に伴い、図６（ａ）に示す最小開位置と、図６（ｃ）に示す最大開位置との間を回転するように構成されている。図６（ａ）に示すように、最小開位置において、可動プレート１５４の通光孔１５４ａのほとんどは、固定プレート１５２の通光孔１５２ａの可動プレート１５４上への投影（破線で示す）と重ならない。従って、固定プレート１５２の通光孔１５２ａを通過した光は、可動プレート１５４によって大部分が遮断され、少量の光のみが光量調整装置１５０を通過する。
【００２７】
一方、図６（ｃ）に示すように、駆動ギヤ１５５の回転に伴い、可動プレート１５４が所定の角度まで回転すると、可動プレート１５４の通光孔１５４ａは、固定プレート１５２の通光孔１５２ａの可動プレート１５４上への投影と完全に重なる。従って、固定プレート１５２の通光孔１５２ａを通過した光は、そのほとんどが可動プレート１５４の通光孔１５４ａを通過し、光量調整装置１５０から出射される。光量調整装置１５０は、駆動ギヤ１５５（すなわちステッピングモータ１５６の駆動軸１５６ａ）の回転位置θを変えることにより、最も透過率Ｔが高くなる最大開状態（透過率Ｔ＝３０％）と最も透過率が低くなる最小開状態（透過率Ｔ＝５％程度）との間で連続的に透過率Ｔを調整することができる。ランプ１２１の交換直後においては、ランプ１２１の光量が極めて大きいため、図５（ｂ）に示す半開状態（透過率Ｔ＝１０％程度）に設定される。光量調整装置１５０の透過率Ｔは、コントローラ１１０によって制御される。
【００２８】
なお、最大開状態および最小開状態における光量調整装置１５０の透過率Ｔは、通光孔１５２ａおよび１５４ａの孔径および配列を変更することによって任意に設定可能である。例えば、通光孔１５２ａおよび１５４ａのピッチ（最も近接する通光孔間の距離）を、孔径に対して長目に設定することにより、照明光を完全に遮断することができる（すなわち、光量調整装置１５０を照明光のシャッターとして機能させることができる）閉状態とすることも可能である。また、通光孔１５２ａおよび１５４ａの孔径に対してピッチをさらに短く設定することにより、開状態における透過率Ｔを高くすることもできる。さらに、通光孔１５２ａおよび１５４ａを対称的に配置することで、開状態における透過率Ｔを高くすることができる。
【００２９】
次に、コントローラ１１０が光量調整装置１５０の透過率Ｔを制御する方法について説明する。コントローラ１１０は、メモリ１１２に記録された光量低減曲線テーブル１１２ａ、透過率曲線テーブル１１２ｂおよび累積点灯時間Ｃに基づいて駆動ギヤ１５５の回転位置θを決定して、ステッピングモータ１５６を駆動させる。
【００３０】
図７は光量低減曲線テーブル１１２ａをプロットしたランプ１２１の光量低減曲線の概念図であり、図８は透過率曲線テーブル１１２ｂをプロットした光量調整装置１５０の透過率曲線の概念図である。図７に示すランプ１２１の光量低減曲線は、ランプ１２１の累積点灯時間Ｃ（ｈ）と光量Ｑ（ｍＷ）との関係を表した曲線であり、ランプ１２１と同一仕様の試験サンプルを使用して測定したものである。また、図８に示す光量調整装置１５０の透過率曲線は、駆動ギヤ１５５の回転位置θ（度）と光量調整装置１５０の透過率Ｔ（％）との関係を表した曲線であり、光量調整装置１５０又は光量調整装置１５０と同一仕様の装置を使用して測定したものである。
【００３１】
コントローラ１１０は、先ずメモリ１１２から光量低減曲線テーブル１１２ａ、透過率曲線テーブル１１２ｂ、累積点灯時間Ｃ、設定光量ＱＳおよび最低光量Ｑｍｉｎを読み出し、光量低減曲線テーブル１１２ａから現在の累積点灯時間Ｃに対応する光量Ｑを取得する。光量Ｑが最低光量Ｑｍｉｎよりも低い場合には、コントローラ１１０はランプ交換を促す警報を表示・操作部１１１に表示する。次に、コントローラ１１０は、計算式Ｔ＝ＱＳ／Ｑにより、光量調整装置１５０の透過率Ｔの目標値を計算する。そして、透過率曲線テーブル１１２ｂから透過率Ｔの目標値に対応する駆動ギヤ１５５の回転位置θの値を取得し、ステッピングモータ１５６を駆動して駆動ギヤ１５５を回転位置θまで回転させる。コントローラ１１０が以上の処理による透過率Ｔの制御を所定時間（例えば１時間）毎に行うことで、光源装置１００が出射する照明光の光量が内視鏡観察に適した設定光量ＱＳに保たれる。また、表示・操作部１１１の警報表示により、ユーザにランプ１２１の交換時期を通知することができる。
【００３２】
このように、本実施形態においては、固定プレート１５２および可動プレート１５４の形状をランプ１２１から照射される照明光の光束と同じ円形とし、回転軸１５３ａを中心に可動プレート１５４を回転する構成とした。これにより、光量調整装置１５０の最大外径を変化することなく、各プレートの通光孔をずらして光量調節を行うことが可能になる。さらに、光量調整装置１５０をより光束に近い面積に押さえることで、無駄なスペースを減らし、省スペース化を実現することができる。また、円形の金属板を用いることにより、方形の金属板を用いる場合における角やバリによる危険性を考慮する必要もない。
【００３３】
さらに、本実施形態においては、固定プレート１５２および可動プレート１５４のプレート１５４１を同一の部品とすることで、部品の共通化が可能となり、部品点数を削減することができる。これにより、小型化を実現するとともに、部品の加工面およびコスト面においてメリットのある光源装置１００を提供することが可能となる。
【００３４】
以上が、本実施形態の説明であるが、本発明は、本実施形態の構成に限定されるものではなく、特許請求の範囲の記載によって表現された技術的思想の範囲内で様々な変形が可能である。例えば、上記の実施形態では、通光孔１５２ａ、１５４ａの孔形状が円形であるが、他の孔形状（例えば、楕円形や多角形）の通光孔を設けてもよい。また、上記の実施形態では、孔形状及び孔径が単一な通光孔が形成されているが、孔形状や孔径の異なる複数種類の孔形状を設けても良い。
【００３５】
また、上記実施形態では、固定プレート１５２と可動プレート１５４のプレート１５４１を同一の部品としたが、本発明はこれに限定されるものではない。例えば、固定プレート１５２及び可動プレート１５４に、孔形状、孔径、孔数、配列の一つ以上が異なるパターンの通光孔、および取付け穴を各プレートに設けてもよい。また、固定プレート１５２を可動プレート１５４の通光孔１５４ａと同じ孔形状、孔径、数、配列の通光孔１５４ａを有する、筐体構造物の板金で代用することも可能である。
【００３６】
さらに、上記の実施形態では、ランプ１２１の累積照明時間から駆動部１５０ｂの駆動量を決定するために、ランプ光量低減曲線テーブルと透過率曲線テーブルの二種類のテーブルを使用しているが、ランプ１２１の累積照明時間に対する可動プレート１５４の好適位置（例えばステッピングモータ１５６の最適な回転位置θ）を示した位置曲線テーブルをメモリ１１２に保持させ、位置曲線テーブルを使用してランプ１２１の累積照明時間から駆動部１５０ｂの駆動量を直接決定する構成としてもよい。
【符号の説明】
【００３７】
１    電子内視鏡システム
１００    光源装置
１１０    コントローラ
１２１    ランプ
１５０    光量調整装置
１５０ａ  光量調節機構部
１５２    固定プレート
１５２ａ、１５４ａ  通光孔
１５４    可動プレート
１５４１  プレート
１５４２  ギヤ
１５５    駆動ギヤ
【図１】
2014039691.tif 000003
【図２】
2014039691.tif 000004
【図３】
2014039691.tif 000005
【図４】
2014039691.tif 000006
【図５】
2014039691.tif 000007
【図６】
2014039691.tif 000008
【図７】
2014039691.tif 000009
【図８】
2014039691.tif 000010